(57)【要約】【課題】ライブラリ装置において、両面読み書き可能な記録媒体の向きを反転させる動作をなくすことが考慮されていない。【解決手段】記録媒体運搬部が記録媒体を記録媒体格納部から記録再生部に運搬し装填する機能を持つライブラリ装置において、未記録の記録媒体が最初に記録再生部に装填された向きを表面、その反対を裏面として、以後扱う。【選択図】  図１
2013178862.tif 000002
【特許請求の範囲】
【請求項１】
両面に記録面を持つ複数の記録媒体と、
前記複数の記録媒体を格納する記録媒体格納部と、
前記記録媒体にデータを記録および再生する第一の記録再生部と、
前記第一の記録再生部のレーザ光の出射方向と対向する方向に、レーザ光の出射方向がくるようにレーザを配置し、前記記録媒体にデータを記録および再生する第二の記録再生部と、
前記記録媒体格納部と前記第一および第二の記録再生部との間で前記記録媒体を運搬して受け渡しを行う記録媒体運搬部と、
前記記録媒体運搬部と前記記録再生部を制御する制御部と、
を備え、
前記制御部は、前記記録媒体運搬部が運搬する記録媒体の一方の面に記録または再生を行うときは該記録媒体を前記第一の記録再生部に受け渡し、前記記録媒体運搬部が運搬する記録媒体の他方の面に記録または再生を行うときは該記録媒体を前記第二の記録再生部に受け渡すことを特徴とするライブラリ装置。
【請求項２】
請求項１記載のライブラリ装置であって、
前記第一の記録再生部あるいは第二の記録再生部は、記録面が両面ともに未記録であり初めて装填された前記記録媒体に対して、装填された前記記録媒体の向きで表裏を決定することを特徴とするライブラリ装置。
【請求項３】
請求項２記載のライブラリ装置であって、
前記第一の記録再生部あるいは第二の記録再生部は、記録面が両面ともに未記録であり初めて装填された前記記録媒体に対して、装填された前記記録媒体の向きで決定した表裏の識別情報を前記記録媒体に記憶することを特徴とするライブラリ装置。
【請求項４】
請求項３記載のライブラリ装置であって、
前記制御部は、前記記録媒体の表裏それぞれの記録面が記録済であるか未記録であるかを示す記録状態情報を前記記憶部に保持することを特徴とするライブラリ装置。
【請求項５】
請求項４記載のライブラリ装置であって、
前記制御部は、前記第一の記録再生部あるいは第二の記録再生部に装填された当該記録面が未記録の前記記録媒体に対して、前記記憶部に記憶する前記記録状態情報を参照し、当該記録媒体が反転しているか否かを判断することを特徴とするライブラリ装置。
【請求項６】
請求項２記載のライブラリ装置であって、
前記第一の記録再生部あるいは第二の記録再生部は、記録媒体の表の記録面のみデータを記録および再生する記録再生部と記録媒体の裏の記録面のみデータを記録および再生する記録再生部の二種類を備えることを特徴とするライブラリ装置。
【発明の詳細な説明】
【技術分野】
【０００１】
本発明は、ライブラリ装置に関するものである。
【背景技術】
【０００２】
本技術分野の背景技術として、特開平７−３２６１６６公報がある。特許文献１には、両面読み書き可能な記録媒体を扱うにあたり、「表裏の面の方向もこれを反転する必要が少なくなるように設定するので、ユーザがいちいち格納位置を指定する手間が省ける。」と記載されている。
【先行技術文献】
【特許文献】
【０００３】
【特許文献１】特開平７−３２６１６６公報
【発明の概要】
【発明が解決しようとする課題】
【０００４】
特許文献１では、記録媒体の向きを反転させる動作を極力少なくなるように記録媒体の収納を制御するが、そもそもその反転動作をなくすことは考慮されていない。
【０００５】
そこで、本発明は、ライブラリ装置において、両面読み書き可能な記録媒体を記録媒体格納部から記録再生部に装填するまでに反転することなく使用でき、また、アドレス等の再配置することなく簡易に両面読み書き可能な記録媒体に記録再生することを目的とする。
【課題を解決するための手段】
【０００６】
上記目的は、アーカイブ装置に用いられるライブラリのドライブの配置方法および搬入方法を工夫することで達成できる。 
【発明の効果】
【０００７】
本発明によれば、ライブラリ装置において、両面読み書き可能な記録媒体を記録媒体格納部から記録再生部に装填するまでに反転することなく使用できる。
【０００８】
上記した以外の課題、構成及び効果は、以下の実施形態の説明により明らかにされる。
【図面の簡単な説明】
【０００９】
【図１】ライブラリ装置の構成を示すブロック図
【図２】記録再生部の構成を示すブロック図
【図３】記録媒体運搬部のブロック図
【図４】記録媒体運搬部の外観図
【図５】サーバの構成を示すブロック図
【図６】記録媒体の情報テーブル
【図７】記録媒体の表面に記録する際に行う処理のフローチャート
【図８】記録媒体の裏面に記録する際に行う処理のフローチャート
【発明を実施するための形態】
【００１０】
以下、図面を用いて実施例を説明する。
【実施例１】
【００１１】
本実施例１は、記録媒体運搬部が記録媒体を記録媒体格納部から記録再生部に運搬し装填する機能を持つライブラリ装置において、両面読み書き可能な記録媒体を扱う場合の実施例である。
【００１２】
ライブラリ装置とは、サーバやディスクアレイ装置などに記録されるデータの保護を目的としたバックアップ、あるいはそのデータの長期保存、安全保管を目的としたアーカイブに利用するものである。
【００１３】
図１はライブラリ装置の構成を示すブロック図である。ライブラリ装置１０１は、記録時には、データをネットワーク１０４から受け取り、サーバ１０３を介してハードディスク１０５に蓄積し、蓄積したデータを記録媒体１０９に記録する。再生時には、ハードディスク１０５または記録媒体１０９からデータを再生し、サーバ１０３を介してネットワーク１０４に送る。サーバ１０３は、ライブラリ装置１０１の内蔵するＣＰＵ（Ｃｅｎｔｒａｌ  Ｐｒｏｃｅｓｓｉｎｇ  Ｕｎｉｔ）１０２との通信によってライブラリ装置を制御するとともに、ハードディスク１０５を制御し、データの記録再生やネットワーク１０４を介したデータ送受信等のデータ管理を行う。ハードディスク１０５は、サーバ１０３に制御されてネットワーク１０４から送られたデータを蓄える。また、ハードディスク１０５は、１台あるいは複数で構成してもよい。また、ハードディスクを複数備えるディスクアレイ装置の形態であってもよい。
【００１４】
記録媒体１０９は、例えばＢＤ−Ｒ（Ｂｌｕ−ｒａｙ  Ｄｉｓｃ  Ｒｅｃｏｒｄａｂｌｅ）に代表されるような光ディスクである。また、記録媒体１０９は、表面と裏面の両面を記録再生することが可能である。また、記録媒体１０９は、光磁気ディスクやホログラム等の記録媒体であってもよい。なお、以下実施例では表面と裏面と表記するが、もちろんＡ面やＢ面という表と裏を表す表現であっても良い。
【００１５】
記録媒体１０９は、記録媒体格納部１０８の内部に複数枚格納されている。図１では記録媒体格納部１０８は１つしか図示しないが、ライブラリ装置１０１内に複数内蔵してもよく、例えば一方は未記録の記録媒体格納装置、他方は記録済の記録媒体格納装置など、用途に応じて使い分けても構わない。もちろん、記録媒体格納部１０８の内部を未記録の記録媒体格納領域と記録済の記録媒体格納領域とに区切っても構わない。
【００１６】
記録媒体１０９は、データ記録時、記録媒体運搬部１０７によって記録媒体格納部１０８から取り出され、記録再生部１１０、１１１に装填され、データ記録が終了すると、記録媒体運搬部１０７によって記録媒体格納部１０８へと戻される。一方、データ再生時、記録媒体１０９は記録媒体運搬部１０７によって記録媒体格納部１０８から取り出され、記録再生部１１０、１１１に装填され、データを再生し、データ再生が終了すると、記録媒体運搬部１０７によって記録媒体格納部１０８へと戻される。
【００１７】
記録媒体格納部１０８には、記録媒体の位置を特定するため位置情報があり、記録媒体運搬部はＣＰＵから指示された位置情報を元に記録媒体を特定する。
【００１８】
記録再生部１１０、１１１は、ライブラリ装置のＣＰＵ１０２によって制御されて、記録媒体１０９にデータを記録または記録媒体１０９からデータの再生を行う。記録再生部１１０、１１１は、一方が記録媒体の表面専用、他方が裏面専用とする。記録再生部１１０、１１０を表面専用、裏面専用とするために同じタイプの記録再生部を例えば反対の向きに配置する。あるいは、表面専用の記録再生部は一般的なものと同じもので、裏面専用の記録再生部は一般的なものと異なる独自の構成のものでもよい。またその反対の構成でもよい。
【００１９】
図１では記録再生部１１０，１１１は、２つしか図示しないが、ライブラリ装置１０１内に３つ以上内蔵してもよい。なお、その際、表面専用、裏面専用それぞれの記録再生部の数は同じでなくてもよい。例えば、記録媒体１０９の表面から記録するならば表面専用の記録再生部の数を裏面専用の記録再生部の数よりも多くライブラリ装置１０１内に内蔵してもよい。
【００２０】
記録媒体運搬部１０７は、ライブラリ装置のＣＰＵ１０２に制御されて、記録媒体１０９を記録媒体格納部１０８から取り出し、運搬し、記録再生部１１０、１１１に装填する。あるいは、記録媒体１０９を記録再生部１１０、１１１から受け取り、運搬し、記録媒体格納部１０８へと格納する。その際、ライブラリ装置のＣＰＵ１０２の指示により、表面の記録または再生を行うのであれば、表面専用の記録再生部に記録媒体を装填し、裏面の記録または再生を行うのであれば、裏面専用の記録再生部に記録媒体を装填する。
【００２１】
ＣＰＵ１０２は、サーバ１０３からの要求により、記録媒体運搬部１０７を制御して、記録媒体格納部１０８に格納された複数枚の記録媒体１０９の中から所望の記録媒体を選択し、記録再生部１１０、１１１に送る。また、記録媒体運搬部１０７を制御して記録再生部１１０、１１１から記録媒体１０９を受け取り、記録媒体格納部１０８内の所定の位置に記録媒体を格納する。１０６はメモリであり、各種のプログラムや情報が記録されており、例えばライブラリ装置のＣＰＵ１０２を制御するためのプログラムや設定情報もメモリ１０６に記録されている。
【００２２】
図２は記録再生部の構成を示すブロック図である。記録再生部１１０は、ライブラリ装置のＣＰＵ１０２から入力したデータを記録媒体１０９に記録する。また、記録媒体１０９から再生したデータをライブラリ装置１０１のＣＰＵ１０２に出力する。
【００２３】
記録再生部１１０のＣＰＵ２０７は、記録再生部１１０の記録処理、再生処理の制御を行う。なお、ＣＰＵでなくとも、同様の制御が可能な任意の部を用いてもよい。また、記録再生部の記録処理または再生処理を開始する際に、自身の管理する各ブロックの負荷情報の収集を開始し、記録処理または再生処理を終了する際に、収集した情報をメモリに記録し、記録した情報をライブラリ装置のＣＰＵ１０２へ出力する。
【００２４】
記録媒体１０９が光ディスクの場合、記録再生部１１０は、光ディスクドライブである。この場合、光ピックアップ２０２は、記録媒体２０１から信号を読み出して増幅部２０３に送る。また、信号処理部２０４から送られた変調信号を記録媒体２０１に記録する。増幅部２０３は、光ピックアップ２０２を介して記録媒体２０１から読み出した再生信号を増幅して信号処理部２０４に送る。また、サーボ信号を生成してサーボ部２０６に送る。
【００２５】
信号処理部２０４は、入力信号を復調し、誤り訂正等を行ったデータをインタフェース部２０５に送る。また、インタフェース部２０５から送られたデータに誤り訂正符号を付加する等を行い、変調して光ピックアップ２０２に送る。インタフェース部２０５は、例えばＳＡＴＡ（Ｓｅｒｉａｌ Ａｄｖａｎｃｅｄ  Ｔｅｃｈｎｏｌｏｇｙ  Ａｔｔａｃｈｍｅｎｔ）その他の転送方式に準拠したデータ転送処理を行う。データ転送時には、信号処理部２０４から送られたデータをホストであるライブラリ装置のＣＰＵに送る。また、ホストであるライブラリ装置１０１のＣＰＵ１０２から送られたデータを信号処理部２０４に送る。
【００２６】
メモリ２０８は、記録再生部を制御するためのプログラムや各種設定情報、記録媒体から取得した媒体情報などを格納する。なお、メモリ２０８は記録再生部１０９内でＣＰＵ２０７と接続する例を示したが、記録再生部１０９内外のどこに接続されていてもよい。また、情報を保持できればメモリでなくてもよく、例えばハードディスクでもよい。サーボ部２０６は、増幅部２０３にて生成されたサーボ信号により光ピックアップ２０２を制御する。
【００２７】
上記構成の記録再生部１１０によって、ライブラリ装置１０１のＣＰＵ１０２からの指示に従って記録媒体１０９へのデータを記録し、また、記録媒体１０９からデータを再生してライブラリ装置１０１のＣＰＵ１０２に渡すことができる。
【００２８】
なお、ここでは記録再生部１１０について説明したが、記録再生部１１１も構成は同じである。但し、記録再生部１１０、１１１は、一方が記録媒体の表面専用、他方が裏面専用とする。表面専用の記録再生部は一般的なものと同じもので、裏面専用の記録再生部は一般的なものと異なる独自の構成のものでもよい。またその反対の構成でもよい。
【００２９】
また、ライブラリ装置１０１が記録再生部を３つ以上内蔵する場合は、それらの記録再生部も構成は同じである。
【００３０】
なお、本実施例では、記録再生部１１０を表面専用、記録再生部１１１を裏面専用として説明する。
【００３１】
図３は記録媒体運搬部のブロック図、図４は記録媒体運搬部の外観図の一例である。
【００３２】
ＣＰＵ３０１は、記録媒体運搬部の制御を行う。メモリ３０２は、記録媒体運搬部を制御するためのプログラムや各種設定情報等を格納する。なお、メモリ３０２は記録媒体運搬部内でＣＰＵ３０１と接続する例を示したが、記録媒体運搬部内外のどこに接続されていてもよい。また、情報を保持できればメモリでなくてもよく、例えばハードディスクでもよい。
【００３３】
モータ制御部３０３は、ＣＰＵ３０１からの指示に基づいてロボットアーム部３０４、３０５、３０６を駆動する。また、ロボットハンド部３０７を駆動する。ロボットアーム部３０４、３０５、３０６は前進や後進といった直進運動と回転運動により、ロボットハンド部３０７の位置を調整する。
【００３４】
ロボットハンド部３０７は記録媒体１０９を破損することなく保持可能な形状から成り、記録媒体格納部１０８及び記録再生部１１０、１１１に対して記録媒体の出し入れや受け渡しを行う。
【００３５】
上記構成の記録媒体運搬部によって、ライブラリ装置のＣＰＵからの指示に従って、記録媒体格納部と記録再生部との間で記録媒体を運搬することができる。
【００３６】
なお、ここでは記録媒体運搬部がライブラリ装置内に１つ存在する例を示したが、複数の記録媒体運搬部が存在しても構わない。また、記録媒体運搬部の形状は図４の例に限らず、例えば、記録媒体の中心穴を利用して記録媒体を固定し、運搬するようにしても構わない。
【００３７】
図５はサーバの構成を示すブロック図である。サーバ１０３は、１つ以上のライブラリ装置１０１と、ハードディスク１０５と、ネットワーク１０４とが接続されて構成される。
【００３８】
サーバ１０３は、ライブラリ装置１０１に対してデータの記録再生を中心としたサービスを提供するとともに、ハードディスク１０５に対するデータの記録と再生、ネットワーク１０４を介したデータの送受信や管理を行う。
【００３９】
サーバ１０３のＣＰＵ５０１は、データ記録時には、ネットワーク１０４からネットワーク制御部５０５を介して受信したデータをハードディスクインタフェース部５０４を介してハードディスク１０５に記録する。あるいは、ライブラリ装置インタフェース部５０３を介してライブラリ装置を制御し、ライブラリ装置が内蔵する記録媒体に記録する。
【００４０】
データ再生時には、ハードディスクインタフェース部５０４を介してハードディスク１０５からデータを読み出し、読み出したデータをネットワーク制御部５０５を介してネットワーク１０４に送信する。あるいは、ライブラリ装置インタフェース部５０３を介してライブラリ装置を制御し、ライブラリ装置が内蔵する記録媒体からデータを再生し、再生したデータを受け取り、受け取ったデータをネットワーク制御部５０５を介してネットワーク１０４に送信する。または、ライブラリ装置から受け取った各種の情報を適宜加工して記録、管理し、また、その情報を再生し、再生した情報に基づいて制御方針を決定するとともに、実際の制御を行う。
【００４１】
メモリ５０２は、サーバ１０３のＣＰＵ５０１を制御するためのプログラム、各種の情報が記録されている。ライブラリ装置インタフェース部５０３は、ライブラリ装置１０１とサーバ１０３のＣＰＵ５０１との間でのデータ送受信に関する制御を行う。なお、図では１つのライブラリ装置インタフェース部に複数のライブラリ装置が接続されているが、例えば、ネットワークを介して複数のライブラリ装置が接続されるような構成でもよい。ハードディスクインタフェース部５０４は、ハードディスク１０５とＳＡＴＡなどの規格に準拠したデータ転送を行う。ネットワーク制御部５０５は、ネットワーク１０４とサーバ１０３のＣＰＵ５０１との間でのデータ送受信に関する制御を行う。
【００４２】
本実施例で示すライブラリ装置において、両面読み書き可能な記録媒体を扱う場合、予め記録媒体格納部に収められている記録媒体を読み書きする際に記録媒体の向き、つまり表裏を識別できる必要がある。なぜなら、人が記録媒体の向きを確認して記録再生部に装填するわけではなく、記録媒体運搬部がこの動作を行うためである。
【００４３】
ライブラリ装置または記録再生部が、記録媒体の表面と裏面を識別するために、例えば、記録媒体に表面、裏面それぞれに記録された管理情報に表裏の識別情報を設けることで識別可能である。記録媒体が光ディスクで、記録再生部が光ディスクドライブであれば、表裏の識別情報をＢＣＡ（Ｂｕｒｓｔ  Ｃｕｔｔｉｎｇ  Ａｒｅａ）に設けてもよいし、ユーザデータ領域に設けてもよいし、その他ライブラリ装置のＣＰＵあるいは記録再生部が読み取れる領域に情報があればよい。
【００４４】
また、記録媒体の表面と裏面でどちらを最初に記録するのか、その順番を決めておくことが重要である。記録の順番を決めておかないと、例えば記録媒体の両面に跨るような連続したデータを記録した場合、そのデータを再生する際、表面と裏面を逆順に再生してしまうと所望のデータを取り出せない。
【００４５】
両面読み書き可能な記録媒体において、工場出荷時点などで、予め、各々の面に表裏を識別する情報が備わっている場合が考えられる。これを利用して記録再生部は表裏の判別を行ってもよいが、記録媒体格納部に格納する際、記録媒体が全て同じ向きであるとは限らない。これを考慮し、記録再生部に未記録の記録媒体として装填された時に、工場出荷時に備わる表裏を識別する情報に関わらず、その面を表面として記録を開始する。つまり裏面であっても反転することなく、且つ、その面を今後は表面として扱う。そのために、記録媒体に既存の表裏を識別する情報以外に別の表裏の識別情報を新たに持たせる。
【００４６】
新たな表裏の識別情報は、例えば、記録再生部が記録媒体の管理情報領域に記憶させる。あるいは、既存の識別情報を上書きしてもよい。あるいは、新たな表裏の識別情報をライブラリ装置に内蔵されるメモリ、または記録再生部に内蔵するメモリ、またはハードディスクなど、記録媒体の外部に記憶してもよい。
【００４７】
記録媒体が新たな表裏の識別情報を持つ場合は、ライブラリ装置または記録再生部は既存の表裏の識別情報を無視する。
【００４８】
また、もともと記録媒体に表裏を識別する情報がない場合は、未記録の記録媒体が最初に記録再生部に装填された向きを表面、その反対を裏面として、以後扱う。そのために、予め表裏を識別する情報を持つ記録媒体と同様に識別情報を持たせる。
【００４９】
記録再生部は装填された記録媒体の向きを識別し、その結果、記録媒体の向きが反対であれば、向きを変えるために一度記録媒体を取り出し、向きを反転させ、再度装填する動作が通常必要になる。そこで、本実施例では、記録再生部を記録媒体の表面専用および裏面専用の２種類備え、裏面専用の記録再生部は表面専用と同じタイプの記録再生部を例えば反対の向きに配置する、あるいは、表面専用の記録再生部と異なる構成のものにすることで、記録媒体の反転動作を不要にする。
【００５０】
それに加え、未記録の記録媒体が最初に記録再生部に装填された向きを表面、その反対を裏面として扱う。
【００５１】
これらによって、記録媒体を記録媒体格納部から記録再生部に装填するまでに反転することなく使用することが可能となる。
【００５２】
図６は、記録媒体の情報テーブル示す。記録媒体の情報テーブルには、記録媒体ＩＤ６０１、記録媒体の記録情報６０２として表面の状況６０３、裏面の状況６０４、記録媒体格納部ＩＤ６０５、記録媒体位置情報６０６が含まれる。
【００５３】
記録媒体の情報テーブルは、ライブラリ装置のメモリに記憶してもよいし、記録再生部のメモリに記憶してもよい。またサーバのメモリあるいはハードディスクなど情報を記憶できるものであればいずれの場所でもよい。
【００５４】
ライブラリ装置のＣＰＵからの命令により、記録媒体運搬部は指定された記録媒体を記録媒体格納部から取り出し、指定された記録再生部に装填する。その際、記録媒体を特定するためには記録媒体ＩＤ６０１を用いる。また、記録媒体格納部が複数あった場合を考慮し、記録媒体格納部を特定するためには記録媒体格納部ＩＤ６０５を用いる。また、その特定された記録媒体格納部の中にある記録媒体の位置情報を特定するために記録媒体位置情報６０６を用いる。
【００５５】
記録媒体が未記録の状態であれば、記録媒体の記録状況６０２に未記録であることを示す情報が保存されており、記録済の状態であれば記録済であることを示す情報が保存される。また、記録媒体の記録状況は表面の状況６０３と裏面の状況６０４それぞれ情報を持つ。
【００５６】
図７は記録媒体の表面に記録する際に行う処理のフローチャートを示す。
【００５７】
表面専用の記録再生装置１１０に記録媒体が装填された後、記録媒体は当該記録媒体が未記録かどうかを確認する（Ｓ７０１）。記録済みであればライブラリ装置のＣＰＵに記録済み記録媒体であることを通知する。未記録であれば、次に表裏識別情報があるかどうかを確認する（Ｓ７０２）。表裏識別情報が無ければ、記録媒体の記録媒体ＩＤを取得して、この記録媒体ＩＤを用いてこれまでに当該記録媒体に記録を実施した履歴があるかどうかを確認する（Ｓ７０３）。記録した履歴があるならば、当該記録媒体の反対の面にデータが記録されていることになり、当該記録面は裏面であることが明らかとなる。これは、表面のみ記録済みの記録媒体が何らかの原因で記録媒体格納部から一旦取り出され再度挿入された際に誤って反対となってしまったためである。したがって、記録再生部は、記録面が反対であることをライブラリ装置のＣＰＵに通知し、処理を終了する（Ｓ７０５）。
【００５８】
Ｓ７０３で、記録の履歴が無い場合、当該記録面は表面と判断し、データの記録処理を開始する（Ｓ７０６）。正常にデータの記録処理が終了したら、記録媒体の記録履歴を記録済に変更する。
【００５９】
Ｓ７０２で、表裏識別情報がある場合、記録媒体からその情報を取得し、当該記録面が表面であるかどうかを確認する（Ｓ７０４）。表面であるならば、記録処理を開始する（Ｓ７０７）。正常にデータの記録処理が終了したら、記録媒体の記録履歴を記録済に変更する。
【００６０】
Ｓ７０４で、裏面であるならば、Ｓ７０５と同様の処理を行う。
【００６１】
図８は記録媒体の裏面に記録する際に行う処理のフローチャートを示す。
【００６２】
裏面専用の記録再生装置１１１に記録媒体が装填された後、記録媒体は当該記録媒体が未記録かどうかを確認する（Ｓ８０１）。記録済みであればライブラリ装置のＣＰＵに記録済み記録媒体であることを通知する。未記録であれば、次に表裏識別情報があるかどうかを確認する（Ｓ８０２）。表裏識別情報が無ければ、記録媒体の記録媒体ＩＤを取得して、この記録媒体ＩＤを用いてこれまでに当該記録媒体に記録を実施した履歴があるかどうかを確認する（Ｓ８０３）。記録した履歴があるならば、当該記録媒体の反対の面にデータが記録されていることになり、当該記録面は裏面であることが明らかとなる。したがって、データの記録処理を開始する（Ｓ８０５）。正常にデータの記録処理が終了したら、記録媒体の記録履歴を記録済に変更する。
【００６３】
Ｓ８０３で、記録の履歴が無い場合、当該記録面は表面と判断することができる。これは、表面も未記録の記録媒体が何らかの原因で記録媒体格納部から一旦取り出され再度挿入された際に誤って反対となってしまったためである。したがって、記録再生部は、記録媒体の状態が異常であることをライブラリ装置のＣＰＵに通知し、処理を終了する（Ｓ８０６）。
【００６４】
Ｓ８０２で、表裏識別情報がある場合、記録媒体からその情報を取得し、当該記録面が裏面であるかどうかを確認する（Ｓ８０４）。裏面であるならば、記録処理を開始する（Ｓ８０７）。正常にデータの記録処理が終了したら、記録媒体の記録履歴を記録済に変更する。
【００６５】
Ｓ８０４で、表面であるならば、Ｓ８０６と同様の処理を行う。
【００６６】
記録再生部に装填された未記録の記録媒体の向きが反対であっても、そのまま反転させることなく使用することができる。これにより、取り出し、反転、再度装填といった無駄な処理を省くことができ、その分処理を速く進めることができる。また、記録媒体の向きを反転させる必要がないため、記録媒体運搬部またはそれ以外において記録媒体を反転させる機構をなくすことができる。これにより、反転機構に必要だったスペースをなくすことができるのでライブラリ装置を小さくすることができる。また、両面を記録再生できる記録媒体を記録再生する方法としては、一の記録再生部内に２つのピックアップを設け、双方からレーザ光を照射することで両面に対応することも可能だが特殊で複雑な構成の記録再生部となってしまう。それに対して、本実施例の構成のほうが従来の記録再生部を用いることができ、また、記録媒体のアドレスの再配置も不要という更なる効果を有することは言うまでもない。
【００６７】
データの記録を行った表裏それぞれ専用の記録再生部で再生を行うことになる。つまり、記録時と異なる記録再生部での再生とはならないため、記録再生部の違いが起因のエラーの発生を低減することができる。
【００６８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。 
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（ＳｏｌＩＤ  Ｓｔａｔｅ  Ｄｒｉｖｅ）等の記録装置、または、ＩＣカード、ＳＤカード、ＤＶＤ等の記録媒体に置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６９】
１０１…ライブラリ装置、１０２…ＣＰＵ、１０３…サーバ、１０４…ネットワーク、１０５…ハードディスク、１０６…メモリ、１０７…記録媒体運搬部、１０８…記録媒体格納部、１０９…記録媒体、１１０…記録再生部、１１１…記録再生部
【図１】
2013178862.tif 000003
【図２】
2013178862.tif 000004
【図３】
2013178862.tif 000005
【図４】
2013178862.tif 000006
【図５】
2013178862.tif 000007
【図６】
2013178862.tif 000008
【図７】
2013178862.tif 000009
【図８】
2013178862.tif 000010